(57)【要約】      （修正有）【課題】根の付近にある古い土も簡単に分離除去して、土を入れ替えることができる植木鉢を提供する。【解決手段】上端を開口した外鉢１の内部に収容される内鉢において、複数の切込み２２ａを周壁の上下方向に形成し、底部を有した小筒体２２を、その底部が底面のない主筒体２１の下方より突出するようにして、主筒体２１に上下に移動可能に内嵌させて一体的に連結して構成され、外鉢１の上端の開口より出し入れ可能にした。【選択図】図２
0003171627.tif 000002
【実用新案登録請求の範囲】
【請求項１】
上端を開口した外鉢の内部に収容される内鉢において、
複数の切込みを周壁の上下方向に形成し、底部を有した小筒体を、その底部が底面のない主筒体の下方より突出するようにして、主筒体に上下に移動可能に内嵌させて一体的に連結ないし結合して構成され、外鉢の上端の開口より出し入れ可能にした内鉢。
【請求項２】
請求項１において
前記主筒体の内周面には、複数の凹所を同心状に形成する一方、前記小筒体の外周面には、該凹所に係止される突起を対応して同心状に形成している内鉢。
【請求項３】
請求項１または２において
前記小筒体は、柔軟な内容器に、植木を培養土とともに収容させた構造にしている内鉢。
【請求項４】
請求項１〜３のいずれかの項に記載の内鉢と、これを収容する開口を上端に設けた外鉢とを組み合わせた植木鉢。
【考案の詳細な説明】
【技術分野】
【０００１】
本考案は、土替え作業の容易な２重筒構造の内鉢と、それを用いた植木鉢に関する。
【背景技術】
【０００２】
樹木を鉢植えする場合、培養土を長い間入れ替えないでいると、樹木の生育が著しく悪くなってしまうことがよく知られている。これは忌地現象と同じもので、土中の幼虫が根を食害したり、化学肥料に含まれる塩類が土を固化させたりする。また、根が鉢一杯に成長し絡み合って団子状態となり、土の通気性を悪くするなどが、その理由である。特にバラの場合、毎年の開花を良好に保つために、樹木が休眠する冬毎に植木鉢を土替えし、必要に応じて余分な根を切除することが望まれる。
【０００３】
ところが植木鉢の土替えは、まず植木鉢を割って樹木が植わったままの土の固まりを抜き出し、それから根の周囲の土を除去する、あるいは鉢内に移植ゴテを入れて古い土を掻き出すなどして古い土を取り除いた後に、新しい培養土によって樹木を植え直す必要がある。
【０００４】
しかしながら、このような方法によって鉢内の古い土を取り除く作業は、力が必要で時間も要する重労働であり、女性にとってはなおのこと重労働である。そこで、このような土替えの手間を軽減するための技術が次の特許文献に記載されている。
【０００５】
この特許文献の提案は、鉢に樹木を植えつける際に、鉢の内部に、その鉢の内壁面に沿って複数の土補充用ケース（中空の筒体）を埋め込んでおき、１年あるいは２年後ぐらいに、その補充用ケースを適宜抜き取って、抜き取った部分に空疎部を生じさせ、そこに新しい土を補充するというものである。
【先行技術文献】
【特許文献】
【０００６】
【特許文献１】特開２００１−３２０９７２号公報
【考案の概要】
【考案が解決しようとする課題】
【０００７】
しかしながら、上記特許文献の技術では、鉢の内周壁付近に新しい土が追加されるだけなので、植物生育に悪影響を与える古い土は根の付近にそのまま残ってしまうという問題があった。そこで本考案は、根の付近にある古い土も簡単に分離除去して、土を入れ替えることができる植木鉢を提案することを目的とする。
【課題を解決するための手段】
【０００８】
上記目的を達成するために提案される本考案は、新規な２重筒構造の内鉢と、それを外鉢に収容して用いる植木鉢を提案している。
【０００９】
ここに、本考案の内鉢は、上端を開口した外鉢の内部に収容される内鉢において、複数の切込みを周壁の上下方向に形成し、底部を有した小筒体を、その底部が底面のない主筒体の下方より突出するようにして、主筒体に上下に移動可能に内嵌させて一体的に連結ないし結合して構成され、外鉢の上端の開口より出し入れ可能にしたものである。
【００１０】
前記主筒体の内周面には、複数の凹所を同心状に形成する一方、前記小筒体の外周面には、係止される突起を同心状に対応して形成してもよく、複数の凹所は、多重に同心状に複数段に設けてもよい。
前記小筒体は、柔軟な内容器に、植木を培養土とともに収容させてもよい。
また前記内鉢は、これを収容する開口を上端に設けた外鉢に組み合わせて植木鉢として使用できる。
【考案の効果】
【００１１】
本考案によれば、植木が植わったままの内鉢を外鉢から取り出し、主筒体を小筒体に対して下方に移動させれば、小筒体は主筒体の上端より上方に突出する。小筒体は、切込みを周壁の上下に形成しているので、その状態になると花びらのように拡開する。
その結果、小筒体の内部に埋め込まれ、内周壁にこびり付いた土も剥がれ易く、また根の付近に固まった土も、主筒体を外してから移植ゴテ等で崩せば容易に取り除けるようになるので、特に培養土を全部入れ替える場合に有益である。
【００１２】
また、本考案による植木鉢は、内鉢が以上のような特徴を有するため、移植ゴテによって鉢内の土を掘り取る、あるいは外鉢を割って露出させた土の固まりを砕くなどして土替えする必要がなくなるので、培養土の入替えが容易である。
【図面の簡単な説明】
【００１３】
【図１】は本考案による植木鉢の使用状態を示す斜視図である。
【図２】は外鉢と内鉢との収容関係を示す要部断面図である。
【図２Ａ】（ａ）は、植木鉢の変形例を示す部分破断した斜視図、（ｂ）はこの変形例における内鉢の平面図、（ｃ）はこの変形例における外鉢の平面図、（ｄ）はこの変形例の要部断面図である。
【図３】（ａ）、（ｂ）は内鉢の土替え時の要領を示す説明図である。
【図４】（ａ）,（ｂ）は、植木を培養土とともに内鉢から出した後に、土替えを行なうときの説明図である。
【考案を実施するための形態】
【００１４】
本考案に係る植木鉢Ａは、鉢内の培養土の入替えを容易にすることを目的としたもので、外鉢に、内鉢を収容した２重構造になっている。
以下、図１、図２を参照して、基本的な構造を説明する。
【００１５】
外鉢１は、従来の植木鉢と同様な形状をしている。すなわち、図１に見るように、上端の開口から底面に向けてテーパー状に窄められた有底筒状体で、陶器、磁器、樹脂あるいは金属等からなり、底面には水抜孔１ａが設けられている。
【００１６】
内鉢２は、いずれも上端から下端に向けてテーパー状に窄められた、底面のない主筒体２１と、有底の小筒体２２とで構成されている。小筒体２２は、主筒体２１の下部に内嵌して一体的に連結ないし結合される。
【００１７】
主筒体２１、小筒体２２は、塩化ビニル、ウレタン、ＰＥＴ、ＦＲＰなどの樹脂からなる。主筒体２１と小筒体２２とを一体化させてなる内鉢２も上端が開口し、底面に向けてテーパー状に窄められた有底の円筒状である。
【００１８】
主筒体２１の上端には外側に突出する鍔部２１ａが形成されている。鍔部２１ａは、外鉢１の上端に被さって内鉢２を支持するためのものであるが、更には、内鉢２を取り出すための取手となり、外鉢１の内部を隠す役割もある。また鍔部２１ａは、上端の全周に亘って形成されていても、全周の一部を欠いて形成されていてもよい。
たとえば鍔部２１ａを、外鉢１の開口よりも僅かに小径として、開口付近の内周壁に接触して静止するよう構成としてもよい。この場合、その鍔部２１ａを内側が開いたコの字断面として、そこに手が掛けられるようにすると、内鉢２を運ぶのに便利である。
また主筒体２１の上端にフック爪を設けて、内鉢２を外鉢１の上端に掛け止めするような構造であってもよい。
【００１９】
小筒体２２の周壁には、上端の開口を起点として下方に向かう、楔形をした複数の切込み２６が所定間隔でほぼ平行に形成されている。また小筒体２２の底面には水抜孔（不図示）が設けられている。小筒体２２は、その内側に植木３と培養土５とを収容するが、後述する土替え作業の際には主筒体２１をスームズに下方に移動させる必要があるので、後述する内容器に比べて十分な保型性が要求される。
【００２０】
小筒体２２に切込み２２ａを設けたものは、その切込み２２ａに挟まれた周壁部分が、主筒体２１と小筒体２２とを一体的に連結した時には窄まり、かつその連結が解除されたときには、花びらのように拡開する。その際、切込み２２ａは小筒体２２の窄み度合いによって、その隙間が変化する。
このように小筒体２２の上端側が切込み２２ａの部分で拡開、収縮する構成では、小筒体２２を主筒体２１から取り出したときには小筒体２２の内壁面に固着した土が剥がれやすく、また主筒体２１を下方に移動させる際にも弾性力が作用するので主筒体２１や小筒体２２が破損しにくい。
【００２１】
また、切込み２２ａは小筒体２２の変形を容易にするだけでなく、それらの隙間からスコップや棒などを差し込んで固まった培養土を砕くことも可能にするので、土替えが一層容易になる。
【００２２】
主筒体２１と小筒体２２との連結ないし結合構造は、図例では、下方に向かって内径がテーパー状に狭くなる主筒体２１の内周面の適所にロック溝２１ｂを形成し、同じテーパー状に形成された小筒体２２の上端には、それに対応した突起２２ｂを形成して、突起２２ｂをロック溝２１ｂに嵌入れる構成にしている。ここに、ロック溝２１ｂ、突起２２ｂは、いずれも上方側には傾斜した誘い面を形成して、主筒体２１の小筒体２２に対する下方向への移動を可能とする一方、上方向への移動は阻止する構造にしている。
しかしながら、連結ないし結合構造は、内鉢２に植木３と培養土５とを入れた状態で主筒体２１を持ち上げたときに、小筒体２２が脱落せずに一体的に持ち上げられる程度の連結力を発揮すればよく、種々の変形も可能である。なお、例示したロック溝２１ｂは、１段であるが、高さを変えて、２段、３段、あるいはそれ以上の段数設けてもよい。
また図示はしないが、主筒体２１内に、それよりも小さい径の小筒体２２を内嵌させて、主筒体２１の内周で小筒体２２の外径を締めて固定する構造にしてもよい。
【００２３】
図２Ａ（ａ）〜（ｄ）
に示す変形例は、小筒体２２は、上端の外周面に４つの爪２２ｂ´を形成し、主筒体２１は、内周壁の高、中、低の高さ部分のそれぞれに、爪２２ｂ´に対応して、４つの爪受け穴２１ｂ´を同心状に形成している。爪２２ｂ´、爪受け穴２１ｂ´は、機能的にはそれぞれ上記突出２２ｂ、ロック溝２１ｂに相当するものである。
【００２４】
爪２２ｂ´は、図２Ａ（ｂ）
に示すように、小筒体２２の切込み２２ａによって区切られた８つの周壁片に対して１つ飛ばしに形成されており、隣接しあう爪２２ｂ´と爪２２ｂ´は、小筒体２２の中心角にしてほぼ９０度をなしている。
一方、爪受け穴２１ｂ´は、図２Ａ（ｃ）
に示すように、主筒体２１の同一の高さ部分において隣接しあう爪受け穴２１ｂ´と爪受け穴２１ｂ´がいずれも同心状になっており、主筒体２１の中心角にしてほぼ９０度をなしているが、いずれの爪受け穴２１ｂ´も、それとは異なる高さ部分にある爪受け穴２１ｂ´に対しては、主筒体２１の中心角が重ならない位置にずれている。
【００２５】
このような構造によれば、小筒体２２を主筒体２１に一体化させる際に、爪２２ｂ´が狙った高さ位置の同心状にある爪受け穴２１ｂ´に嵌るように、筒体２２を角度合わせし、それから押圧して下方に移動させれば、それらが嵌合して所望の高さの内鉢２が得られる。このとき小筒体２２は、切込み２２ａに挟まれた周壁部分が、弾性変形によって、主筒体２１の内周壁と常に接触しながら下降する。なお爪２２ｂ´が爪受け穴２１ｂ´に嵌り易くなるように、爪受け穴２１ｂ´を、爪２２ｂ´よりも幅広にするとよい。
【００２６】
また爪２２ｂ´は、図２Ａに示すように、上を向いた楔形でその下部が小筒体２２の外周壁から略鉛直面をなし、かつ爪受け穴２１ｂ´もそれに対応した形状としている。そのため爪２２ｂ´が爪受け穴２１ｂ´に一旦嵌ってしまうと、小筒体２２が主筒体２１から容易に脱落せず、主筒体２１と小筒体２２とは一体化した内鉢２として外鉢１の上端開口から引き抜くことができ、小筒体２２を主筒体２１から上方に引き抜くにもさほどの力を要さない。なお２２ｃは、小筒体２２の水抜き孔である。
【００２７】
これらの構成では、内鉢２は、主筒体２１の下方に小筒体２２が内嵌されて一体的に連結ないし結合されるが、主筒体２１の上端の開口から小筒体２２を落と込み、その小筒体２２を下方に移動させると、小筒体２２がスライド下降して、溝部などに嵌合するか、主筒体２１の内径の狭まりによって、それ以上は降下しない位置まで来ると、小筒体２２は主筒体２１に固定され、連結ないし結合される。
【００２８】
なお、主筒体２１を小筒体２２に対して下方に押し下げたときに、小筒体２２を十分に露出させるためには、主筒体２１の上下方向の寸法は、主筒体２１と小筒体２２とを一体連結したときの最大の長さ寸法の１／２程度にすることが望ましい。
【００２９】
また、主筒体２１と小筒体２２との連結ないし結合は、双方を柔軟な帯体、襞、ベローズ壁など利用した柔軟な構成として、小筒体２２に対して主筒体２１を下方移動させたときに、小筒体２２が主筒体２１に内嵌される位置まで変位する構造であってもよい。このとき柔軟な素材は、主筒体２１と小筒体２２との隙間に巻き込まれる仕組みでもよい。要は、主筒体２１を小筒体２２に対して相対的に下方に移動させたとき、小筒体２２が主筒体２１の上方に露見すればよい。また、内鉢２の寸法は、主筒体２１と小筒体２２との重合位置をずらせば、内鉢２の底面が外鉢１の内底面で支持されるように調整できる。
【００３０】
次いで本考案を用いた場合の土替え手順を説明する。
【００３１】
植木３が植わった状態のまま、外鉢１から内鉢２を引き上げて、内鉢２を取り出す。内鉢２に鍔部２１ａを設けたものは、その鍔部２１ａを持ち上げてもよいが、植木３の根元を手で掴み持ち上げてもよい。
【００３２】
図３（ａ）は、内鉢２を外鉢１から取り出した状態を示しており、この状態から、主筒体２１を下方に強く押下げるか、小筒体２２の底面を地面などに打ち付ければ、主筒体２１が小筒体２２に対して下方に移動するので、小筒体２２が主筒体２１の上方に露出する。
【００３３】
植木３が培養土５とともに、ポリポットなどの柔軟な内容器４に収容されている場合には、小筒体２２から更に内容器４を取り出すか、必要に応じて内容器４を切り裂けば、植木３は、根の周囲に固まった培養土５とともに内容器４の外に取り出される。この状態になれば、植木３の根の周りに固まっている培養土５も、移植ゴテ等を用いて砕いたり、流水によって流したりして簡単に除去できる。
内容器４内に植木３を培養土５とともに収容しておけば、小筒体２２の内周面には培養土５が付着せず、内容器４を小筒体２２から容易に取り出しできるので、すこぶる作業性がよい。
【００３４】
また、小筒体２２は切込み２６を形成しているので、小筒体２２は多少窄んだ状態で主筒体２１と一体的に連結ないし結合されている。したがって、その連結ないし結合が外れると、切込み２２ａと、その弾性力によって小筒体２２が拡開するので、培養土５が根と絡まって小筒体２２の内周面に固着していても、その固着が外れて抜き出しが容易である。
図３（ｂ）は、このような手順で、主筒体２１から小筒体２２を露出させ、更に小筒体２２の切込み２２ａによって小筒体２２を拡開させて、内容器４を取り出した状態を、分解斜視図の形で示している。
【００３５】
小筒体２２から内容器４を取り出し、これを切り裂けば、植木３は培養土５とともに取り出される。図４（ａ）はこのときの様を示しており、植木３の根は培養土５内に張り出し、団子状態になり、培養土５とともに内容器４の形状を保っている。
この状態で、固まっている培養土５を移植ゴテで突付いたり、そこに水を掛けたりして除去すれば、図４（ｂ）に示したように、植木３の根３１が露出するので、必要に応じて傷んだ根や不用な根を切除した後、主筒体２１を小筒体２２に連結ないし結合して内鉢２とした後、内鉢を外鉢１の中に戻し、内鉢２内に新しい培養土を詰め、土替えが完了する。
【００３６】
このように本考案によれば、植木鉢を割るなどして、植木を植木鉢から完全に取り出さずに、内鉢の内部で固まった古い培養土を露出させて取り除くことができる。
【００３７】
なお、図３では、植木３は培養土５とともに柔軟な内容器４に収容され、その内容器４が、内鉢２の小筒体２２に収容される例を説明しているが、内容器４は、小筒体２２が水漏れが防止できる構造である場合にはなくてもよく、内容器４に代えて、小筒体２２の内周面に剥離紙などを介在させて植木３とともに培養土５を収容してもよい。
また、内鉢に植える植物が水はけを好むものであれば内容器４は使用しなくてもよいが、通常は内容器４を使用することが、培養土が小筒体の内周面への付着を防止し、作業を簡易化するためにも望ましい。
【符号の説明】
【００３８】
Ａ          植木鉢
１          外鉢
２          内鉢
２１        主筒体
２２        小筒体
２２ａ      切込み
３          植木
４          内容器（ポリポット）
５          培養土
【図１】
0003171627.tif 000003
【図２】
0003171627.tif 000004
【図２Ａ】
0003171627.tif 000005
【図３】
0003171627.tif 000006
【図４】
0003171627.tif 000007